(57)【特許請求の範囲】
【請求項１】
硬質材料による硬質パイプと，この硬質パイプに接続される軟質材料によるホースと，このホースの締付け用のホースバンドとから成り，前記硬質パイプの先端外周には円周方向に延びるリング状の隆起部を一体に設けて，この硬質パイプに，前記ホースを，その内径を弾性に抗して押し広げながら被嵌し，前記ホースのうち前記硬質パイプに被嵌した部分を前記ホースバンドによって締め付けるように構成した継ぎ手装置において，
前記ホースの外周面のうち前記硬質パイプにおけるリング状隆起部に重なる部分のうち周方向に沿った複数の箇所に，その部分に前記ホースバンドが乗り上げることを阻止する突起部が一体に設けられていることを特徴とするホース用継ぎ手装置。
【請求項２】
前記ホースのうち前記硬質パイプの隆起部よりも外側の箇所に，当該ホースが軸線方向に伸縮変形することを可能にする膨らみ部が一体に設けられており，前記突起部を，前記膨らみ部の付け根箇所に位置すると共に膨らみ部と一体となるように設けていることを特徴とする請求項１に記載したホース用継ぎ手装置。
【発明の詳細な説明】
【技術分野】
【０００１】
本発明は，硬質合成樹脂又は金属等のような硬質材料による硬質パイプにゴム等のような軟質材料によるホースを接続するための継ぎ手装置に関するものである。
【背景技術】
【０００２】
従来，この種のホース用管継ぎ手装置は，例えば，特許文献１，２及び３等に記載されているように，
「前記硬質パイプ及びホースのうち一方の硬質パイプの先端外周には，円周方向に全周にわたって延びるリング状に構成が隆起部を一体に設けて，この硬質パイプを，前記ホース内に，当該ホースの内径を弾性に抗して押し広げながら挿入するか，或いは，前記ホースを，前記硬質パイプに，当該ホースの内径を弾性に抗して押し広げながら被嵌し，次いで，前記ホースのうち前記硬質パイプに被嵌する部分を，ホースバンドによって全周から締め付ける。」
という構成にしている。
【先行技術文献】
【特許文献】
【０００３】
【特許文献１】特開２００６−１３２５１１号公報
【特許文献２】特開２００７−２５５６７４号公報
【特許文献３】特開２００８−２２３８０１号公報
【発明の概要】
【発明が解決しようとする課題】
【０００４】
前記した従来の構成によると，硬質パイプの先端外周にリング状隆起部を設けたことと，この硬質パイプに被嵌したホースをホースバンドにて全周から締め付けることとによって，硬質パイプとホースとの両者を，高いシール性を確保した状態で引き抜き不能に接続することを確実に実現できるという利点がある。
【０００５】
しかし，その反面，前記ホースを前記ホースバンドによって全周から締め付けるときに，前記ホースバンドが，軸線に対して傾いたり，或いは，軸線の方向にずれたりすることにより，前記ホースのうち前記硬質パイプの先端外周におけるリング状隆起部に該当する部分に乗り上げた状態になることが多い。
【０００６】
前記ホースバンドが前記ホースのうち硬質パイプにおけるリング状隆起部に該当する部分に乗り上げた場合には，ホースを全周にわたって均一に締め付けることができないから，シール性が低下するばかりか，ホースが硬質パイプから抜けることになる。
【０００７】
そこで，前記ホースバンドを締め付け装着するに際しては，人が手で持って，このホースバンドが前記リング状隆起部に該当する部分に乗り上げることがない正しい位置及び姿勢の状態に保持するようにしなければならないから，それだけホースバンドの締め付け装着の作業性が悪くなるという問題がある。
【０００８】
本発明は，この問題を解消することを技術的課題としている。
【課題を解決するための手段】
【０００９】
この技術的課題を達成するため本発明は，
「硬質材料による硬質パイプと，この硬質パイプに接続される軟質材料によるホースと，このホースの締付け用のホースバンドとから成り，前記硬質パイプの先端外周には円周方向に延びるリング状の隆起部を一体に設けて，この硬質パイプに，前記ホースを，その内径を弾性に抗して押し広げながら被嵌し，前記ホースのうち前記硬質パイプに被嵌した部分を前記ホースバンドによって締め付けるように構成した継ぎ手装置において，
前記ホースの外周面のうち前記硬質パイプにおけるリング状隆起部に重なる部分のうち周方向に沿った複数の箇所に，その部分に前記ホースバンドが乗り上げることを阻止する突起部が一体に設けられている。」
ことを特徴としている。
本願発明は，請求項２のとおり，「前記ホースのうち前記硬質パイプの隆起部よりも外側の箇所に，当該ホースが軸線方向に伸縮変形することを可能にする膨らみ部が一体に設けられており，前記突起部を，前記膨らみ部の付け根箇所に位置すると共に膨らみ部と一体となるように設けている」の構成も含んでいる。
【発明の効果】
【００１０】
この構成によると，ホースバンドを硬質パイプに被嵌したホースに対して締め付け装着するとき，このホースバンドが，前記ホースのうち前記硬質パイプにおけるリング状隆起部に該当する部分に乗り上げるのを，前記ホースの外周面に一体に設けた突起部によって確実に阻止することができる。
【００１１】
従って，前記ホースバンドを締め付け装着するとき，このホースバンドを人が手で持って，ホースのうちリング状隆起部に該当する部分に乗り上げない状態に保持することを必要としないから，前記ホースバンドの締め付け装着の作業性を大幅に向上できる。
【００１２】
そして，本願発明では，前記ホースの外周面に一体に設ける突起部は，円周方向の複数箇所に設けている。
【００１３】
そのため，前記ホースを軽量化できるともに，前記ホースのうち前記突起部を設けた部分における内径の拡張が容易になるから，硬質パイプにホースを被嵌することがより軽い力でできるようになる利点がある。
請求項２の構成によると，突起部は，ホースを前記硬質パイプに被嵌するときに膨らみ部が軸線方向に倒れ変形するのを阻止することに寄与しているとともに，前記膨らみ部を補強することにも寄与している。
【図面の簡単な説明】
【００１４】
【図１】実施の形態を示す縦断正面図である。
【図２】図１のII−II視断面図である。
【図３】分解した状態を示す縦断正面図である。
【図４】分解した状態を示す斜視図である。
【発明を実施するための形態】
【００１５】
以下，本発明の実施の形態を，図１〜図４の図面について説明する。
【００１６】
この実施形態の図面は，内燃機関において，その吸気マニホールド（図示せず）に取付けたスロットルボデー（図示せず）への吸入管である硬質パイプ１に，ホース２を介してエアクリーナ３を接続する場合を示している。
【００１７】
前記硬質パイプ１は，例えば，アルミ軽合金又は硬質合成樹脂等のような硬質材料製であり，その先端外周には，円周方向に延びるリング状にした隆起部４が一体に設けられている。
【００１８】
一方，前記ホース２はゴム又は軟質合成樹脂等のような軟質材料製であり，その一端部は前記エアクリーナ３に接続され，他端部は，前記硬質パイプ１に対して，その内径を弾性に抗して押し広げることで被嵌されており，これにより，前記硬質パイプ１とエアクリーナ３とがホース２を介して接続されている。
【００１９】
また，前記ホース２のうち途中の部分（硬質パイプ１の隆起部４の外側でかつ隆起部４に近接した部分）には，ホース２が軸線方向に伸縮変形することを可能にするための膨らみ部２ａが一体に設けられている。
【００２０】
更に，前記ホース２のうち前記硬質パイプ１に被嵌した部分は，その部分に装着したホースバンド５によって，前記硬質パイプ１に対して全周から締め付けられている。
【００２１】
このホースバンド５は，ばね鋼線５ａをリング状に一回巻きにしてその両端に摘まみ片５ｂ，５ｃを設けたもので，両摘まみ片５ｂ，５ｃを，ばね鋼線５ａの弾性に抗して互いに近づけるように摘まみ合わせることで内径を拡張し，この状態でホース２に装着したのち，前記両摘まみ片５ｂ，５ｃの摘まみ合わせを解除することにより，前記ホース２をばね鋼線５ａの弾性にて全周から締め付けるという構成になっている。
【００２２】
なお，前記ホースバンドとしては，前記したように，ばね鋼線５ａをリング状に一回巻きにしてその両端に摘まみ片５ｂ，５ｃを設けた構成のものに限らず，帯状のばね鋼板をリング状に一回巻きにしてその両端に摘まみ片を設けて，帯状ばね鋼板の弾性によってホース２を全周から締め付けるという構成のものも使用することができる。
【００２３】
更にまた，前記ホースバンドとしては，前記したものに限らず，金属線又は金属ベルトをリング状に巻いて，その両端を，ねじにて締結するという構成にしたものとか，或いは，その他の構成のものを使用できることはいうまでもない。
【００２４】
そして，前記ホース２における外周面のうち前記硬質パイプ１におけるリング状隆起部４に重なった部分には，半径方向の外向きに突出する突起部６を，円周方向の複数箇所に一体に設けることにより，この部分（前記ホース２のうち前記硬質パイプ１におけるリング状隆起部４に重なった部分）に前記ホースバンド５が乗り上げることがないように構成している。
【００２５】
なお，この突起部６は，前記ホース２のうち前記膨らみ部２ａの付け根部に位置し，且つ，前記膨らみ部２ａと一体の構成になっている。
【００２６】
この構成によると，ホースバンド５を硬質パイプ１に被嵌したホース２に対して締め付け装着するとき，このホースバンド５が，前記ホース２のうち硬質パイプ１におけるリング状隆起部４に該当する部分に乗り上げることを，前記ホース２の外周面に一体に設けた突起部６によって確実に阻止できるから，前記ホースバンド５を締め付け装着するとき，このホースバンド５を人が手で持ってホース２のうちリング状隆起部４に該当する部分に乗り上げない状態に保持することを必要としない。
【００２７】
なお，ホースバンド５の乗り上げを阻止するための突起部６は，図示のように，円周方向の複数箇所に設けているため，円周方向に全周にわたって延びるリングの構成にした場合よりも軽量化できる。
【００２８】
また，前記突起部６は，前記ホース２を前記硬質パイプ１に対して，その内径を押し広げながら被嵌するときに，前記膨らみ部２ａが軸線方向に倒れ変形するのを阻止することに寄与しているとともに，前記膨らみ部２ａを補強することにも寄与している。
【符号の説明】
【００２９】
１  硬質パイプ
２  ホース
２ａ  膨らみ部
３  エアクリーナ
４  リング状隆起部
５  ホースバンド
６  乗り上げ阻止用突起部
【図１】
0005537112.tif 000002
【図２】
0005537112.tif 000003
【図３】
0005537112.tif 000004
【図４】
0005537112.tif 000005